【手続補正書】
【提出日】平成16年6月9日(2004.6.9)
【手続補正１】
【補正対象書類名】特許請求の範囲
【補正対象項目名】全文
【補正方法】変更
【補正の内容】
【特許請求の範囲】
【請求項１】
概ね平面状の第１鏡地を、第１鏡地に平行に位置決めされた概ね平面状の第２鏡地に取り付けるためのプリーツ付き取付けマチであって、
マチ材料の第１縁部のところにプリーツ折り目によって形成された１つまたは複数のプリーツを有するマチ材料片であって、前記プリーツ折り目が、マチ材料の第１縁部の近傍の地点で第１鏡地に取り付けられており、それにより、前記マチ材料の方向が、１つまたは複数のプリーツの数およびサイズに応じてプリーツの周りで変更されるマチ材料と、
第２鏡地に取り付けられたマチ材料の第２縁部とを含むプリーツ付き取付けマチ。
【請求項２】
前記１つまたは複数のプリーツがマチ材料の幅を部分的に横切って延びている、請求項１に記載の取付けマチ。
【請求項３】
ラッフル付き隅部を形成する複数のプリーツを含んでおり、それによって前記マチ材料の方向が約９０度変更される、請求項１に記載の取付けマチ。
【請求項４】
前記マチ材料が第１鏡地の周囲で連続的である、請求項１に記載の取付けマチ。
【請求項５】
均等に離隔された複数のプリーツを有する、請求項１に記載の取付けマチ。
【請求項６】
前記１つまたは複数のプリーツがマチ材料の幅全体を横切って延びていない、請求項１に記載の取付けマチ。
【請求項７】
マットレスの鏡地と組み合わされた、請求項１に記載の取付けマチ。
【請求項８】
マットレス・ピロートップと組み合わされた、請求項１に記載の取付けマチ。
【請求項９】
前記マチ材料がマットレスの張地材料で作製されている、請求項１に記載の取付けマチ。
【請求項１０】
前記マチ材料が長さに沿って折り曲げられている、請求項１に記載の取付けマチ。
【請求項１１】
マットレス内部スプリングの片側に鏡地を有するマットレスであって、前記鏡地の概ね周囲にマチが取り付けられており、前記マチが長さ寸法の周りで折り曲げられた材料片で作製されており、前記マチがマチ材料の折り目の近傍で鏡地に取り付けられており、前記折り目の反対側にあるマチの第１縁部が鏡地の周囲に取り付けられ、マチの第２縁部が他の鏡地に取り付けられるように適合されており、前記マチの隅部が、ラッフル付きマチ隅部を形成する１つまたは複数のプリーツを有するマットレス。
【請求項１２】
前記マチの第２縁部がマットレス・ピロートップの周囲に取り付けられている、請求項１１に記載のマットレス。
【請求項１３】
前記マチの各隅部が概ね均等に離隔された複数のプリーツを有する、請求項１１に記載のマットレス。
【請求項１４】
前記マチの隅部にある１つまたは複数のプリーツが第１鏡地に縫合されている、請求項１１に記載のマットレス。
【請求項１５】
前記マチの隅部にある１つまたは複数のプリーツが概ね均等に離隔されている、請求項１１に記載のマットレス。
【請求項１６】
前記マチ材料がマットレスの張地材料で作製されている、請求項１１に記載のマットレス。
【請求項１７】
前記１つまたは複数のプリーツがマチ材料の幅を部分的に横切って延びている、請求項１１に記載のマットレス。
【請求項１８】
前記マチの第１縁部がテープ縁部によってマットレス鏡地に取り付けられている、請求項１１に記載のマットレス。
【請求項１９】
前記マチの第２縁部がテープ縁部によって第２鏡地に取り付けられている、請求項１１に記載のマットレス。
【請求項２０】
前記マチが鏡地の周囲から離隔した地点で鏡地に取り付けられている、請求項１１に記載のマットレス。
【請求項２１】
離隔された２つの平行支持表面と支持表面の間の直交側部とを画定するマットレス内部スプリングを有するピロートップ・マットレスであって、前記内部スプリングが、各支持表面にかぶせられた鏡地と直交側部にかぶせられた境界部とによって覆われており、前記鏡地の周囲縁部が前記境界部の縁部に接合されて内部スプリングを張地材料内に包み込んでおり、
少なくとも１つの鏡地の周囲にマチが縫合されており、前記マチが、長さ寸法に沿って折り曲げられた連続的な材料の細片の形態をし、折り目の近傍で鏡地に縫合されていて、折り目の反対側にあるマチの第１および第２縁部が鏡地の周囲と概ね位置合わせされており、
前記マチが鏡地の隅部のところに１つまたは複数のプリーツを有しており、前記プリーツがラッフル付きマチ隅部を形成しており、それにより、折り目の反対側にあるマチの第１縁部が、鏡地の周囲に取り付けられるように構成されており、マチの第２縁部が、上に重ねられたピロートップ鏡地に取り付けられるように構成されており、それにより、前記マチが、ピロートップ鏡地によって包み込まれたピロートップを、マットレス内部スプリングを覆う鏡地に取り付けて、ピロートップ・マットレスを形成するマットレス。
【請求項２２】
前記マチがマットレス張地材料で作製されている、請求項２１に記載のピロートップ・マットレス。
【請求項２３】
前記マチが長さ寸法に沿って半分に折り曲げられている、請求項２１に記載のピロートップ・マットレス。
【請求項２４】
前記マチの各隅部が、マットレス周囲の隅部に、ラッフル付きマチ隅部を形成する４つまたはそれ以上のプリーツを有する、請求項２１に記載のピロートップ・マットレス。
【請求項２５】
前記ラッフル付きマチ隅部が、圧迫された状態のときにほぼ平たく置かれる、請求項２１に記載のピロートップ・マットレス。
【請求項２６】
前記マチが、マットレス内部スプリングを覆う鏡地に２本の異なる線に沿って縫合され、ピロートップ鏡地の周囲に１本の線に沿って縫合されている、請求項２１に記載のピロートップ・マットレス。
【請求項２７】
前記マチの第２縁部およびピロートップ鏡地と組み合わされたテープ縁部をさらに含む、請求項２１に記載のピロートップ・マットレス。
【請求項２８】
前記ピロートップ鏡地がピロートップの境界部である、請求項２１に記載のピロートップ・マットレス。
【請求項２９】
前記ラッフル付きマチ隅部のプリーツが重なり合っている、請求項２１に記載のピロートップ・マットレス。
【請求項３０】
前記マチの縁部がそれぞれの鏡地にテープ縁部で縫合されている、請求項２１に記載のピロートップ・マットレス。
【請求項３１】
マチ材料片を縦に折り曲げる工程と、
鏡地材料上に前記マチ材料を配置する工程と、
前記マチ材料を前記鏡地材料の縁部と位置合わせする工程と、
前記マチを前記鏡地に係合させる工程と、
前記マチを前記鏡地材料に取り付ける工程と、
前記マチの取り付け地点に対して相対的に前記鏡地を回転させる工程と、
前記鏡地を回転させながら複数のプリーツをマチ材料中に形成し、前記マチが押し付けられた状態でおおむね平らにすることによって、ラッフル付マチ隅部を形成する工程と、
前記鏡地にラッフル付マチ隅部を縫い付ける工程と、
を包含する、ラッフル付マチ隅部の形成によるピロートップマチの自動縫製方法。
【請求項３２】
前記マチはその材料の長さに沿って半分に折り曲げられている請求項３１に記載の方法。
【請求項３３】
前記マチは前記鏡地材料の２つの層を通る連続的な縫い目線により、前記鏡地に取り付けられる請求項３２に記載の方法。
【請求項３４】
前記マチは前記鏡地材料の２つの層を通る断続的な縫い目線により、前記鏡地に取り付けられる請求項３２に記載の方法。
【請求項３５】
前記プリーツは全体に手で形成される請求項３２に記載の方法。
【請求項３６】
前記プリーツは手で使うツールにより形成される請求項３２に記載の方法。
【請求項３７】
前記プリーツを形成するための手で使うツールは、刃、へら、平らな細片、押え面およびこれらの組み合わせからなる群から選ばれる請求項３６に記載の方法。
【請求項３８】
前記ラッフル付きマチ隅部は縫製機により前記鏡地に縫い付けられる請求項３２に記載の方法。
【請求項３９】
マチ材料の連続した細片を供給スプールにより供給する工程と、
前記材料の長さに沿って前記マチ材料を半分に折り曲げる工程と、
縁部が前記テーブルに近接したガイド壁面に当るように、縫製テーブル上に鏡地材料を配置する工程と、
折り曲げられた状態のマチを、前記マチの折り目と反対の縁部が前記鏡地の縁部におおむね位置合わせされるように、マチガイドにより鏡地に対し案内する工程と、
前記マチをプリーツ形成刃および縫製針の下へ案内する工程と、
前記マチを前記鏡地に取り付ける工程と、
縫製針がマチおよび鏡地を貫通して縫い目を形成し、前記マチを前記鏡地に取り付けながら、前記縫製針を通り越して前記マチおよび前記鏡地を一緒に前進させる工程と、
前記プリーツ形成刃を前記マチ材料に係合させながら、クランプを用いて前記鏡地を縫製針に対して相対的に回転させる工程と、
前記プリーツ形成刃の係合により、ラッフル付きマチ隅部を形成する工程と、
縫製針により前記ラッフル付きマチ隅部を前記鏡地の隅部に縫い付ける工程と、
を包含する、マチの支持鏡地または隣り合った材料層への自動取り付けおよび迅速形成方法。
【請求項４０】
前記プリーツ形成刃は独立して制御される請求項３９に記載の方法。
【請求項４１】
前記縫製針に対して相対的に前記鏡地を回転させるクランプは、角を形成する形態を有し、前記鏡地の角に近接して前記鏡地と係合する請求項４０に記載の方法。
【請求項４２】
前記縫製テーブルは、少なくとも１つのエアーチャンバを有し、前記エアーチャンバへ空気が導入され、そのテーブルの表面に設けられた孔から空気が流れる請求項４１に記載の方法。